(57)【要約】【課題】携帯情報端末の本体以外の部分で複数の放送を受信することにより、携帯情報端末を小型、軽量化することのできる変換ケーブルを提供する。【解決手段】本発明の変換ケーブル１は、携帯情報端末１０に接続するための接続プラグ２と、接続プラグ２からの信号を伝達する信号線１１を備えたケーブル３と、ケーブル３と一体に形成されたアンテナ線４と、高周波電流を遮断するコイル５と、オーディオ機器を接続する接続ジャック６とを備え、アンテナ線４で１セグ放送を受信し、接続ジャック６にイヤホーンを接続することによってＦＭ放送を受信可能にすることを特徴とする。【選択図】図１
2008099117.tif 000002
【特許請求の範囲】
【請求項１】
携帯情報端末とオーディオ機器とを接続するための変換ケーブルであって、
前記携帯情報端末に接続するための接続プラグと、
前記接続プラグからの信号を伝達する信号線を内蔵したケーブルと、
前記接続プラグに接続され、前記ケーブルと一体に形成されたアンテナ線と、
高周波電流を遮断する高インピーダンス手段を介して前記ケーブルに接続され、前記オーディオ機器に接続される接続ジャックと、
を備えることを特徴とする変換ケーブル。
【請求項２】
携帯情報端末に変換ケーブルを介してイヤホーンを接続したイヤホーン装置であって、
前記変換ケーブルは、
前記携帯情報端末に接続するための接続プラグと、
前記接続プラグからの信号を伝達する信号線を内蔵したケーブルと、
前記接続プラグに接続され、前記ケーブルと一体に形成されたアンテナ線と、
高周波電流を遮断する高インピーダンス手段を介して前記ケーブルに接続され、前記イヤホーンと接続するための接続ジャックと、
を備えることを特徴とするイヤホーン装置。
【請求項３】
携帯情報端末にケーブルを介して接続され、前記携帯情報端末を遠隔操作するコントローラであって、
前記携帯情報端末に接続するための接続プラグと、
前記接続プラグからの信号を伝達する信号線を内蔵したケーブルと、
前記接続プラグに接続され、前記ケーブルと一体に形成されたアンテナ線と、
高周波電流を遮断する高インピーダンス手段を介して前記ケーブルに接続されるとともに、オーディオ機器を接続するための接続ジャックを備え、前記携帯情報端末を遠隔操作する操作手段と、
を備えることを特徴とするコントローラ。
【請求項４】
前記接続ジャックにオーディオ機器を接続したことを特徴とする請求項３に記載のコントローラ。
【発明の詳細な説明】
【技術分野】
【０００１】
本発明は、携帯情報端末に接続される変換ケーブル、イヤホーン装置及びコントローラに係り、特にケーブルにアンテナ線を設けて複数の放送を受信可能にした変換ケーブル、イヤホーン装置及びコントローラに関する。
【背景技術】
【０００２】
地上デジタル放送が開始されたことに伴い、携帯電話等へ向けた１セグ放送が開始された。地上デジタル放送では、１つのチャンネルを１３のセグメントに分割し、これをいくつか束ねて映像やデータ、音声を送信している。この１３のセグメントのうちの１つのセグメントは移動体向けのセグメントとして割り当てられており、この１つのセグメントを使った移動体向けへの放送が１セグ放送である。１セグ放送が開始されたことにより、携帯電話に代表される携帯情報端末でテレビ放送を見ることが可能となった。
【０００３】
このような１セグ放送を携帯電話で受信するためには、１セグ放送と携帯電話の周波数がそれぞれ異なるために、１セグ放送用のアンテナを別に搭載する必要がある。
【０００４】
また、最近の携帯電話ではＦＭ放送の受信が可能なものもあり、その場合にはアンテナをさらに別に設置しなければならない。従来、ＦＭ放送を受信するためのアンテナとしてはイヤホーンのケーブルが利用されていた。
【０００５】
ここで、ケーブルをアンテナとして利用した携帯電話の構造を図４に示す。図４に示すように、従来の携帯電話１００では、携帯電話の通話用のアンテナ１０１の他に、イヤホーンなどの導電性部材１０２に接続されたケーブル１０３をＦＭ放送受信用のアンテナとして利用していた（特許文献１参照）。
【特許文献１】特許第３４２５０７３号公報
【発明の開示】
【発明が解決しようとする課題】
【０００６】
しかしながら、上述した従来の携帯電話では、ケーブル１０３で受信することのできる放送は１種類の放送に限られており、複数種類の放送を同時に受信することはできなかった。
【０００７】
したがって、１セグ放送やＦＭ放送を受信する携帯電話では、携帯電話の通話用のアンテナの他に各放送を受信するためのアンテナを複数設置しなければならず、小型、軽量化を実現しつつ、さらに複数の放送を受信できるようにすることは困難であった。
【０００８】
本発明の目的は、複数の放送をケーブルで受信可能にすることによって携帯情報端末の本体に設置されるアンテナの数を減らすことのできる変換ケーブル、イヤホーン装置及びコントローラを提供することにある。
【課題を解決するための手段】
【０００９】
上述した課題を解決するために、本発明の変換ケーブルは、携帯情報端末とオーディオ機器とを接続するための変換ケーブルであって、前記携帯情報端末に接続するための接続プラグと、前記接続プラグからの信号を伝達する信号線を内蔵したケーブルと、前記接続プラグに接続され、前記ケーブルと一体に形成されたアンテナ線と、高周波電流を遮断する高インピーダンス手段を介して前記ケーブルに接続され、前記オーディオ機器に接続される接続ジャックとを備えることを特徴とする。
【００１０】
また、本発明のイヤホーン装置は、携帯情報端末に変換ケーブルを介してイヤホーンを接続したイヤホーン装置であって、前記変換ケーブルは、前記携帯情報端末に接続するための接続プラグと、前記接続プラグからの信号を伝達する信号線を内蔵したケーブルと、前記接続プラグに接続され、前記ケーブルと一体に形成されたアンテナ線と、高周波電流を遮断する高インピーダンス手段を介して前記ケーブルに接続され、前記イヤホーンと接続するための接続ジャックとを備えることを特徴とする。
【００１１】
さらに、本発明のコントローラは、携帯情報端末にケーブルを介して接続され、前記携帯情報端末を遠隔操作するコントローラであって、前記携帯情報端末に接続するための接続プラグと、前記接続プラグからの信号を伝達する信号線を内蔵したケーブルと、前記接続プラグに接続され、前記ケーブルと一体に形成されたアンテナ線と、高周波電流を遮断する高インピーダンス手段を介して前記ケーブルに接続されるとともに、オーディオ機器を接続するための接続ジャックを備え、前記携帯情報端末を遠隔操作する操作手段とを備えることを特徴とする。
【発明の効果】
【００１２】
本発明の変換ケーブル、イヤホーン装置及びコントローラによれば、ケーブルの一端に設けられた接続プラグからアンテナ線をケーブルと一体に設けるとともに、ケーブルの他端には高周波電流を遮断する高インピーダンス手段を介して接続ジャックを設けたので、アンテナ線によって１セグ放送などを受信することができるとともに、接続ジャックにイヤホーンなどのオーディオ機器を接続することによってＦＭ放送などを受信することができる。これによって、携帯情報端末の本体以外の部分で複数の放送を受信することが可能となり、携帯情報端末本体に複数のアンテナを設置する必要がなくなって、携帯情報端末を小型、軽量化することができる。
【発明を実施するための最良の形態】
【００１３】
＜第１の実施形態＞
以下、本発明の第１の実施形態を図面に基づいて説明する。図１（ａ）は本実施形態に係る変換ケーブルの外観を示す図、図１（ｂ）は本実施形態に係る変換ケーブルの回路構成を示す回路図である。
【００１４】
図１に示すように、本実施形態の変換ケーブル１は、携帯情報端末１０の本体に接続される接続プラグ２と、接続プラグ２からの信号を伝達する信号線１１を備えたケーブル３と、接続プラグ２に接続され、ケーブル３と一体に設けられたアンテナ線４と、高周波電流を遮断するコイル（高インピーダンス手段）５を介してケーブル３に接続され、オーディオ機器に接続される接続ジャック６とを備えている。
【００１５】
接続プラグ２は、携帯電話等の携帯情報端末１０に接続するためのプラグである。本実施形態では、図１のように、１０個の端子１２を備えた１０極プラグを例として示しているが、その他のプラグであってもよい。図１（ｂ）ではＮｏ．１〜Ｎｏ．６の端子１２を使ってケーブル３からの音声信号を送受信し、Ｎｏ．７〜Ｎｏ．１０の端子１２を使ってアンテナ線４からの信号を受信している。
【００１６】
ケーブル３は、３本の信号線１１と一体に設けられたアンテナ線４によって構成され、信号線１１によって音声信号や音楽情報を伝達するとともに、アンテナ線４は電波を受信している。
【００１７】
アンテナ線４は、信号線１１と一体に束ねられて被覆され、ケーブル３を構成している。アンテナ線４の長さは受信する放送によって異なるが、受信する電波の１／４λ、あるいは３／４λに設定されている。例えば、１セグ放送を受信する場合には１２〜１３ｃｍの長さに設定される。
【００１８】
接続ジャック６は、イヤホーンやヘッドホーンなどのオーディオ機器を接続するためのジャックであり、一例としてφ３．５のジャックで構成される。そして、接続ジャック６の内部にはコイル５が信号線１１に接続して設置されており、このコイル５はアンテナ線４の使用周波数において高インピーダンスとなって高周波電流を遮断している。さらに、信号線１１の端部にはオーディオ機器と接続するジャック部１３が設けられている。
【００１９】
携帯情報端末１０は、携帯電話やポータブルオーディオプレーヤー、ポータブルテレビなどの端末であり、１セグ放送やＦＭ放送などを受信するためのチューナーを備えている。
【００２０】
このように構成された本実施形態の変換ケーブル１では、携帯電話などの携帯情報端末１０に接続プラグ２が接続される。一般的に携帯電話への外部接続には１０極プラグが利用されているのに対して、イヤホーンやヘッドホーンなどのオーディオ機器ではφ３．５プラグなどが採用されているので、携帯電話にオーディオ機器を接続する場合には変換ケーブル１が必要となる。
【００２１】
変換ケーブル１が携帯情報端末１０に接続されると、外部空間からの電磁波によってアンテナ線４が所望の共振周波数で励振し、携帯情報端末１０の給電点に高周波電流が供給されて１セグ放送などの放送を受信するができる。
【００２２】
また、接続ジャック６にイヤホーンなどを接続すると、イヤホーンのケーブルをアンテナ線として利用することができ、ＦＭ放送などの放送を受信することが可能となる。
【００２３】
このとき、コイル５はＦＭ帯のローディングコイルとして作用し、アンテナ線４で生じた高周波電流を遮断している。これにより、コイル５が設置されていない場合には、アンテナ線４だけでなく接続されたイヤホーンまでがアンテナとして機能してしまい、１セグ放送を受信することができなくなってしまうのに対して、コイル５を設置したことによってそのような不都合は生じなくなる。
【００２４】
上述したように、本実施形態の変換ケーブル１では、ケーブル３の一端にアンテナ線４を設け、ケーブル３の他端には高周波電流を遮断するコイル５を介して接続ジャック６を設けたので、アンテナ線４によって１セグ放送などを受信することができるとともに、接続ジャック６にイヤホーンなどのオーディオ機器を接続することによってＦＭ放送などを受信することが可能となる。これによって、携帯情報端末の本体以外の部分で複数の放送を受信することが可能となり、携帯情報端末本体に複数のアンテナを設置する必要がなくなって、携帯情報端末を小型、軽量化することができる。
【００２５】
＜第２の実施形態＞
次に、本発明の第２の実施形態を図面に基づいて説明する。図２は本実施形態に係るイヤホーン装置の外観を示す図である。
【００２６】
図２に示すように、本実施形態のイヤホーン装置２１は、上述した第１の実施形態の変換ケーブル１にイヤホーン２２を接続したことが第１の実施形態と異なっており、変換ケーブル１の構成は第１の実施形態と同様である。
【００２７】
このように、本実施形態のイヤホーン装置２１では、変換ケーブル１の接続ジャック６にイヤホーン２２を接続したので、アンテナ線４によって１セグ放送などを受信することができるとともに、イヤホーン２２のケーブルをアンテナとして利用することでＦＭ放送などを受信することができる。これによって、携帯情報端末の本体以外の部分で複数の放送を受信することが可能となり、携帯情報端末本体に複数のアンテナを設置する必要がなくなって、携帯情報端末を小型、軽量化することができる。
【００２８】
＜第３の実施形態＞
次に、本発明の第３の実施形態を図面に基づいて説明する。図３は本実施形態に係るコントローラの外観を示す図である。
【００２９】
図３に示すように、本実施形態のコントローラ３１は、携帯情報端末１０を操作するための操作部３２をさらに備えたことが第１の実施形態と異なっており、その他の構成は第２の実施形態と同様である。
【００３０】
ここで、操作部３２は、携帯情報端末１０の音量や運転モードなどの操作を入力して携帯情報端末１０を遠隔操作するための装置であり、音量等の調節を行うためのプリント配線基板や実装部品が内蔵されている。さらに、上述した第１の実施形態で説明したように、高周波電流を遮断するコイル５やオーディオ機器を接続するための接続ジャック６を備えている。
【００３１】
そして、この接続ジャック６にはイヤホーン２２が接続されてＦＭ放送などを受信するアンテナとして機能している。
【００３２】
このように、本実施形態のコントローラ３１では、ケーブル３にアンテナ線４を一体に設けたので、アンテナ線４によって１セグ放送などを受信することができるとともに、接続ジャック６にイヤホーンなどのオーディオ機器を接続することによってＦＭ放送などを受信することが可能となる。これによって、携帯情報端末の本体以外の部分で複数の放送を受信することが可能となり、携帯情報端末本体に複数のアンテナを設置する必要がなくなって、携帯情報端末を小型、軽量化することができる。
【図面の簡単な説明】
【００３３】
【図１】本発明の第１の実施形態に係る変換ケーブルの構造を示す図であり、図１（ａ）は変換ケーブルの外観を示す図、図１（ｂ）は変換ケーブルの回路構成を示す回路図である。
【図２】本発明の第２の実施形態に係るイヤホーン装置の外観を説明するための図である。
【図３】本発明の第３の実施形態に係るコントローラの外観を説明するための図である。
【図４】ケーブルをアンテナとして利用する従来の携帯電話の構造を示す図である。
【符号の説明】
【００３４】
１  変換ケーブル
２  接続プラグ
３  ケーブル
４  アンテナ線
５  コイル（高インピーダンス手段）
６  接続ジャック
１０  携帯情報端末
１１  信号線
１２  端子
１３  ジャック部
２１  イヤホーン装置
２２  イヤホーン
３１  コントローラ
３２  操作部
【図１】
2008099117.tif 000003
【図２】
2008099117.tif 000004
【図３】
2008099117.tif 000005
【図４】
2008099117.tif 000006